(57)【要約】 【課題】火災が発生した場合に、熱による扉の反りを防止し、炎や煙の拡散を確実に防止することができる扉錠を提供すること。【解決手段】一端を丁番などにより回動自在に枢支された扉Ｄの開放端側の３箇所または２箇所にラッチ錠１・・・１を取り付け、閉扉時は上記ラッチ錠１・・・１により施錠されると共に、開扉時は室内側または室外側に設けられたハンドル８、９の操作によって、上記ラッチ錠１・・・１を同時に解錠して開扉できるようにしてある。【選択図】図１
2013072179.tif 000002
【特許請求の範囲】
【請求項１】
一端を丁番などにより回動自在に枢支された扉の開放端側の上下方向において、その略中央部と上端部および下端部の３箇所にラッチ錠を取り付け、閉扉時は上記３箇所のラッチ錠により施錠され、開扉時は上記扉の略中央部に設けられたプッシュ・プル式のハンドルの操作によって、上記略中央部のラッチ錠を解錠すると共に、連動部材を作動し、該連動部材に連結された上端部および下端部のラッチ錠を同時に解錠して開扉できるようにしたことを特徴とする扉錠。
【請求項２】
扉の開放端側の上下方向において、その略中央部にはプッシュ・プル式のハンドル装置を取り付け、上端部および下端部にはラッチ錠を取り付け、閉扉時は上記２箇所のラッチ錠により施錠され、開扉時は上記ハンドル装置のハンドルの操作によって連動部材を作動し、該連動部材に連結される上端部および下端部のラッチ錠を解錠して開扉できるようにしたことを特徴とする扉錠。
【発明の詳細な説明】
【技術分野】
【０００１】
本発明は、扉の開放端側の略中央部と上端部および下端部の３箇所、または上端部と下端部の２箇所にラッチ錠を取り付け、それらの３箇所または２箇所のラッチ錠を、略中央部に設けたプッシュ・プル式のハンドルの操作により同時に解錠して開扉できると共に、閉扉時に扉は上記３箇所または２箇所のラッチ錠により施錠される構成とすることにより、火災が発生しても熱による扉の反りを防止し、炎や煙の拡散を防ぐことができるようにした扉錠に関する。
【背景技術】
【０００２】
従来の扉錠は、例えば実開昭６０−９０３６７号公報（以下、特許文献１という。）に示されているように、１個のラッチ錠が、扉の上下方向の略中央部に設けられるものであった。
【先行技術文献】
【特許文献】
【０００３】
【特許文献１】実開昭６０−９０３６７号公報
【発明の概要】
【発明が解決しようとする課題】
【０００４】
しかしながら、前記特許文献１の扉錠は、閉扉時には、ラッチ錠のラッチは必ず相手側の枠の受穴に係合して施錠されるが、この施錠部は扉の上下方向の略中央部の１箇所である。このため、若し建屋内に火災が発生した場合、熱で扉の室内側の面が膨張して扉に反りが生じるが、扉の中央部はラッチ錠で施錠されて固定されているので変位しないものの、上端部と下端部は施錠されていないので、図９に示すように、扉Ｄの上下方向の略中央部に１個のラッチ錠０２を設けた扉は室外側に大きく変位する。その結果、扉の上端部と下端部の隙間から炎や煙が拡散して被害が拡大するという問題点があった。
なお、図９において、０３はラッチ、０４は室外側のハンドル、０５は室内側のハンドル、Ｊは枠である。
【０００５】
また、従来の扉錠で、扉の３箇所を施錠する三点締り錠というものがあるが、これは防犯上の目的で３箇所をデッドボルトで本施錠するようにしたものであり、ラッチ錠のように閉扉した時は必ず自動的に施錠されるものではない。そして、本施錠するにはキーやサムターンの操作が必要であり、中央部の１箇所にはラッチ錠を取り付けて使用されるものであった。
従って、閉扉した場合、中央部の１箇所は必ず施錠されるものの、上下の錠は必ず施錠される保障はなく、３箇所の錠が施錠されていない状態で火災が発生した場合、上記と同様に扉の反りを防止することができなかった。
【０００６】
本発明は、上記従来の扉錠の有する問題点を解消しようとするものであり、扉の開放端側の略中央部と上端部および下端部の３箇所、または上端部と下端部の２箇所をラッチ錠で施錠するようにしたものであり、閉扉時には必ず３箇所または２箇所がラッチ錠で施錠されるので、火災発生時にも扉の反りの発生を確実に防ぐことができ、炎や煙の拡散を防ぐことができると共に、略中央部のハンドル操作によって３箇所または２箇所のラッチ錠を同時に解錠して開扉できる扉錠を提供することを目的とする。
【課題を解決するための手段】
【０００７】
上記目的を達成するため、本発明の請求項１の扉錠は、一端を丁番などにより回動自在に枢支された扉の開放端側の上下方向において、その略中央部と上端部および下端部の３箇所にラッチ錠を取り付け、閉扉時は上記３箇所のラッチ錠により施錠され、開扉時は上記扉の略中央部に設けられたプッシュ・プル式のハンドルの操作によって、上記略中央部のラッチ錠を解錠すると共に、連動部材を作動し、該連動部材に連結された上端部および下端部のラッチ錠を同時に解錠して開扉できるようにしたことを特徴とする。
【０００８】
請求項２の扉錠は、扉の開放端側の上下方向において、その略中央部にはプッシュ・プル式のハンドル装置を取り付け、上端部および下端部にはラッチ錠を取り付け、閉扉時は上記２箇所のラッチ錠により施錠され、開扉時は上記ハンドル装置のハンドルの操作によって連動部材を作動し、該連動部材に連結される上端部および下端部のラッチ錠を解錠して開扉できるようにしたことを特徴とする。
【発明の効果】
【０００９】
請求項１の扉錠によれば、一端を丁番などにより回動自在に枢支された扉の開放端側の上下方向において、その略中央部と上端部および下端部の３箇所にラッチ錠を取り付け、閉扉時は上記３箇所のラッチ錠により施錠され、開扉時は上記扉の略中央部に設けられたプッシュ・プル式のハンドルの操作によって、上記略中央部のラッチ錠を解錠すると共に、連動部材を作動し、該連動部材に連結された上端部および下端部のラッチ錠を同時に解錠して開扉できるようにしたことを特徴としているから、閉扉時は略中央部と上端部および下端部の３箇所のラッチ錠によって確実に施錠されるので、強固な施錠状態が得られと共に、火災発生時には扉の反りを確実に防止することができ、炎や煙の拡散を防止することができる。また、開扉時は略中央部に設けられたプッシュ・プル式のハンドル式の操作によって、略中央部のラッチ錠を解錠すると共に、上端部と下端部のラッチ錠を同時に解錠して開扉することができるので、通常の扉錠と同様に操作性に優れる。
【００１０】
請求項２の扉錠によれば、扉の開放端側の上下方向において、その略中央部にはプッシュ・プル式のハンドル装置を取り付け、上端部および下端部にはラッチ錠を取り付け、閉扉時は上記２箇所のラッチ錠により施錠され、開扉時は上記ハンドル装置のハンドルの操作によって連動部材を作動し、該連動部材に連結される上端部および下端部のラッチ錠を解錠して開扉できるようにしたことを特徴としているから、閉扉時は上端部と下端部の２箇所のラッチ錠によって確実に施錠されるので、火災発生時には扉の反りを防止することができ、炎や煙の拡散を防止することができる。また、開扉時は略中央部に設けられたプッシュ・プル式のハンドル式の操作によって、上端部と下端部のラッチ錠を同時に解錠して開扉することができるので、通常の扉錠と同様に操作性に優れている。
尚、この請求項２の扉によれば、請求項１の扉錠に比べ構成部材が少なくてよいので、安価に提供することができる。
【図面の簡単な説明】
【００１１】
【図１】本発明の実施例１の扉錠を室外側から見た正面図である。
【図２】図１の中央部のラッチ錠の錠ケース内部を示す要部縦断面図である。
【図３】図２の要部横断平面図である。
【図４】図１の上端部のラッチ錠のケース内部を示す縦断面図である。
【図５】図２において、ハンドルを操作してラッチ錠を解錠した状態を示す縦断面図である。
【図６】図４において、ハンドルを操作して解錠した状態を示す縦断面図である。
【図７】本発明の実施例２の扉錠を室外側から見た正面図である。
【図８】図７の中央部のラッチ錠の錠ケース内部を示す要部縦断面図である。
【図９】従来の扉錠を扉の開放端側から見た図である。
【発明を実施するための形態】
【００１２】
本発明の請求項１の扉錠は、図１〜図６に基づいて説明すると、一端を丁番Ｈなどにより回動自在に枢支された扉Ｄの開放端側の上下方向において、その略中央部と上端部および下端部の３箇所にラッチ錠１，１，１を取り付け、閉扉時は上記３箇所のラッチ錠１，１，１により施錠され、開扉時は上記扉の略中央部に設けられたプッシュ・プル式のハンドル８，９の操作によって、上記略中央部のラッチ錠１を解錠すると共に、連動部材７を作動し、該連動部材７に連結された上端部および下端部のラッチ錠１，１を同時に解錠して開扉できるようにしたことを特徴とする。
【００１３】
また、本発明の請求項２の扉錠は、図７と図８に基づいて説明すると、扉Ｄの開放端側の上下方向において、その略中央部にはプッシュ・プル式のハンドル装置１Ａを取り付け、上端部および下端部にはラッチ錠１，１を取り付け、閉扉時は上記２箇所のラッチ錠１，１により施錠され、開扉時は上記ハンドル装置１Ａのハンドル８，９の操作によって連動部材７を作動し、該連動部材７に連結される上端部および下端部のラッチ錠１，１を解錠して開扉できるようにしたことを特徴とする。
詳しくは以下に説明する実施例１と実施例２を参照するとよい。
【実施例１】
【００１４】
本発明の実施例１の扉錠を図１〜図６に基づいて以下に説明する
図１において、Ｄは扉であって、この扉Ｄの一端側は丁番Ｈにより回動自在に枢支され、他端側の開放端側の上下方向に略中央部と上端部および下端部の３箇所にはラッチ錠１，１，１が取り付けられている。
図１および図３に示されるハンドル８，９は、従来公知のプッシュ・プル式のハンドルであって、室外側のハンドル９は開扉方向に引いて、室内側のハンドル８は開扉方向に押して操作するものであり、８１，９１は該ハンドル８，９の操作により傾動し、ラッチ錠を解錠する操作テコである。
【００１５】
８２，９２は、室内側および室外側の座であり、該座８２，９２内に前記ハンドル８，９の操作により傾動する操作テコ８１，９１が設けられているが、その構成は従来公知のものを採用すればよいので、詳細な説明は省略する。
【００１６】
図２は、扉Ｄの開放端側の上下方向の略中央部に取り付けられたラッチ錠１を示すもので、錠ケース１１内のラッチケース２８内にラッチ２がバネ２４およびバネ受２５を介して出没自在に設けられている。該ラッチ２は、従来公知の反転式のラッチであり、ラッチ２の上下に形成した係止溝２１，２１に施錠部材３，４の施錠部３１，４１が常時係合して、ラッチの反転を阻止する施錠状態に保持される。
【００１７】
上記施錠部材３，４は、略Ｔ字状の板状体よりなるもので、ラッチ２の後方で錠ケースの上部と下部に軸３３，４３により回動自在に枢支されている。
該施錠部材３，４の先端部には施錠部３１，４１が形成され、後端部には、後述の作動部材５に係合する係合部３２，４２が形成されている。また、施錠部材３と施錠部材４とは、各々のＴ字状の脚部３４と４４とが連結ピン３５により連結されており、施錠部材３，４のいずれか一方が回動すると他方も回動する。その他、４５は施錠部材４に掛袈されたキックバネで、施錠部材４を常時時計回り方向に付勢している。    
【００１８】
５は、錠ケース１１の後方に設けられた作動部材で、コの字状のスライダー５１と該スライダー５１に固設された作動杵５４とよりなる。該スライダー５１は、錠ケース１１内で、ガイド穴１７，１７をガイドに上下方向に摺動自在に設けられており、コの字状の下端部５２には、前記施錠部材４の係合部４２が係合され、上端部５３にはハンドル８，９の操作テコ８１，９１が錠ケース１１の室外側および室内側から挿入されて係合されている。
【００１９】
上記作動杵５４は、大径部と小径部を有する軸部材よりなり、大径部の先端部はスライダー５１にかしめ加工により固定されており、小径部の後端部は、錠ケース１１の後端部に形成した開口部１５から突出し、後述の連結部材６の係合穴６１に係合している。
【００２０】
１２は、錠ケース１１の上部と下部および後端部を包囲するように設けられたガイド部材で、その前端部１２Ａ、１２Ａが取り付けネジ１６，１６により錠ケース１１と共に扉Ｄに取り付け固定される。また、ガイド部材１２の後端部には、連動部材７を保持すると共に、その上下方向の作動をガイドするガイド部１３が形成されている。
【００２１】
上記連動部材７には、コの字状の連結部材６がその一片をネジ６２，６２により固定される。また、連結部材６の他片には前記作動部材５に一体の作動杵５４が係合する係合穴６１が形成されており、該係合穴６１に作動杵５４が係合され、作動部材５の上下動に連動して、上記連動部材７も上下動する。 
なお、図２において１４は作動部材５の上下動に従って上下動する連動部材７に固定したネジ６２の上下動を規制するガイド穴であり、ガイド部材１２の後端部に設けられている。
【００２２】
図４は、扉Ｄの上端部に取り付けられたラッチ錠１を示す。該ラッチ錠１は、前記扉の略中央部に取り付けられたラッチ錠１と同じ構成のもので、反転式のラッチ２、施錠部材３、４、作動部材５などを備え、ガイド部材１２の後端のガイド部１３に、連動部材７の上端部７１が上下動可能に保持される。また、前記中央部のラッチ錠１と同様に、作動部材５の作動杵５４と連結部材６とを介して作動部材５と連動部材７の上端部７１とが連結されており、上端部のラッチ錠１の作動部材５は連動部材７の上下動に連動して上下動する。
【００２３】
尚、図示しないが、扉Ｄの下端部に取り付けられるラッチ錠１も、上記の扉の上端部に取り付けられるラッチ錠１と同様に、前記の中央部に取り付けられるラッチ錠１と同じ構成のもので、該ラッチ錠の作動部材に連動部材７の下端部が連結される。
【００２４】
上記構成の実施例１の扉錠１０の作用を以下に説明する。
図２および図３の閉扉、施錠状態において、室外側のハンドル９を開扉方向に引くと、該ハンドル９の操作に連動して操作テコ９１が傾動して、図５の如く操作テコ９１は上動し、作動部材５のスライダー５１を上動させる。該スライダー５１の上動により、スライダー５１の下端部５２に係合する施錠部材４の係合部４２が押されて、施錠部材４はキックバネ４５の付勢力に抗して反時計回り方向に回動し、先端の施錠部４１とラッチ２の係止溝２１との係合が解除される。
【００２５】
上記施錠部材４が回動すると、連結ピン３５により連結されている施錠部材３も連動して、時計回り方向に回動し、先端の施錠部３１とラッチ２の係止溝２１との係合も解除され、ラッチ錠１は解錠される。
【００２６】
ラッチ錠１が解錠されると、ラッチ２は反転可能となり、図３の状態でハンドル９を、そのまま開扉方向に引き続けると、ラッチ２はその力によりラッチ２の背面部２２が受座２６の受孔２７の側縁部に押されて回転し、背面部２２が斜面となるので、その斜面の作用でラッチ２は錠ケース１１内に後退し、開扉することができる。
該ラッチ２は、従来公知の反転式のラッチであり、その詳述は省略する。
なお、図３において、Ｊは扉Ｄの枠である。
【００２７】
開扉した後は、ラッチ２はバネ２４の付勢力により突出し、図３の元の状態に復帰するので、閉扉する時は斜面部２３が受座２６に当接し、斜面部２３の斜面の作用によりラッチ２は後退し、閉扉することができる。
【００２８】
尚、室内側のハンドル８を押して操作した場合は、操作テコ８１が上動し、上記と同様に作動部材５のスライダー５１を上動させるのでラッチ錠を解錠することができる。
【００２９】
上記の如く、プッシュ・プル式のハンドル８，９を押して、また引いて操作して作動部材５のスライダー５１を上動させて、中央部のラッチ錠１を解錠した時、該作動部材５に連結される連動部材７も一体的に上動し、連動部材７の上端部７１に連結されるラッチ錠１の作動部材５を上動させて、上端部のラッチ錠１も解錠される。
【００３０】
また、同時に、図示しないが連動部材７の下端部に連結される下端部のラッチ錠１も上記と同様に解錠される。
即ち、扉の中央部のプッシュ・プル式のハンドル８，９の操作により、中央部と上端部および下端部の３箇所のラッチ錠１を同時に解錠して開扉することができる。
なお、閉扉時には上記３箇所のラッチ錠１により扉Ｄは施錠される。
【００３１】
以上の通り、実施例１の扉錠１０では、扉Ｄは、その略中央部と上端部および下端部の３箇所に取り付けたラッチ錠１，１，１により施錠されるので、扉Ｄの施錠状態は強固であり、火災発生時には扉Ｄの反りを確実に防止し、炎や煙の拡散を確実に防ぐことができる。
また、３箇所のラッチ錠１は同じ構成のものを使用することができることや、略中央部に設けるプッシュ・プル式のハンドル８，９は、従来公知の既存のものを使用することができるなどの点から、全体として安価な扉錠１０を提供することができる。  
【実施例２】
【００３２】
本発明の実施例２の扉錠１０Ａを、図７および図８に基づいて、以下に説明する。
この実施例２の扉錠１０Ａは、扉Ｄの上端部と下端部の２箇所にラッチ錠１，１を取り付け、扉の略中央部にはハンドル装置１Ａを設け、閉扉時は上記２箇所のラッチ錠１，１により施錠され、開扉時は、該ハンドル装置の１Ａのハンドルの操作によって、上記２箇所のラッチ錠１，１を同時に解錠して開扉できるようにしたものである。
【００３３】
この実施例２のハンドル装置１Ａは、ケース１１Ａ内にはラッチ２や施錠部材３，４などの構成部材が無い以外、前記実施例１のラッチ錠１と同じ構成部材であり、作動部材５が設けられ、スライダー５１に固定された作動杵５４が連結部材６に係合し、スライダー５１の上下動に連動して連結部材６に固着された連動部材７が上下動する。
【００３４】
また、実施例２のハンドル装置１Ａのハンドル８，９（８は図示されないが）は、前記実施例１のハンドル８，９と同じもので、その操作テコ８１，９１は、ケース１１Ａ内のスライダー５１に係合し、ハンドル８、９の操作により操作テコ８１、９１を上動してスライダー５１を上動させる。
該スライダー５１の上動により、実施例１と同様に作動杵５４を介して連動部材７を上動させ、該連動部材７の上端部と下端部に連結されている上端部と下端部のラッチ錠１，１を解錠する。
【００３５】
この実施例２によれば、扉の上端部と下端部の２箇所をラッチ錠１で施錠するので、３箇所を施錠する実施例１に比べ、その施錠状態の強度は少し劣るが、火災発生時の扉の反りを効果的に防ぐことができ、炎や煙の拡散を防ぐことができる。また、実施例１の扉錠に比べ、簡易な構成であるので安価に提供できる。
【００３６】
（変形例など）
本発明の実施例１および実施例２では、プッシュ・プル式のハンドル８，９を採用したが、プッシュ・プル式のハンドルに代えて、レバーハンドルを採用することもできる。その場合は、略中央部のラッチ錠１の作動部材５を、レバーハンドルの回動操作に連動して下方に摺動させて連動部材７を下動させ、該連動部材７に連結される上端部と下端部のラッチ錠を同時に解錠するように設ければよい。
【００３７】
その他、実施例１、２のプッシュ・プル式のハンドルは、図３に示された形態のものに限られることなく、従来公知の種々の形態のものを採用することができる。
【００３８】
また、プッシュ・プル式のハンドルの操作による操作テコ８１，９１は、上記の如く上方に傾動するものでなく、下方に傾動するものでもよいし、左右方向に傾動するものでもよく、該操作テコ８１，９１の傾動により、ラッチ錠１の施錠部材３，４を回動して、ラッチ錠１を解錠するように適宜の設計変更は容易に可能である。
【符号の説明】
【００３９】
１                ラッチ錠
１Ａ              ハンドル装置           
２                ラッチ  
３、４            施錠部材
５                作動部材
６                連結部材
７                連動部材
８                室内側のハンドル
９                室外側のハンドル
１０，１０Ａ      扉錠
１１              錠ケース
１１Ａ            ケース
１２              ガイド部材
２１              係止溝
２６              受座
２７              受穴
３１，４１        施錠部
５１              スライダー
５４              作動杵
８１              操作テコ
９１              操作テコ
Ｄ                扉
Ｊ                枠
【図１】
2013072179.tif 000003
【図２】
2013072179.tif 000004
【図３】
2013072179.tif 000005
【図４】
2013072179.tif 000006
【図５】
2013072179.tif 000007
【図６】
2013072179.tif 000008
【図７】
2013072179.tif 000009
【図８】
2013072179.tif 000010
【図９】
2013072179.tif 000011